(57)【要約】【課題】部材点数を低減できるとともに、外観の好ましいプロジェクタを提供する。【解決手段】プロジェクタ１において、吸気孔２８の周縁部分には、外装筐体２内部の制御装置ＣＬに電気的に接続し制御装置ＣＬとの間で情報を入出力する入出力装置ＬＵが着脱自在に装填される装填部２４０が設けられている。フィルタカバー６は、吸気孔２８および装填部２４０を覆い、エアフィルタ５および入出力装置ＬＵの双方を保護する。【選択図】図３
2010122281.tif 000002
【特許請求の範囲】
【請求項１】
吸気孔が形成された外装筐体と、前記吸気孔を介して導入された空気に含まれる塵埃を捕捉するエアフィルタと、前記外装筐体に取り付けられ前記エアフィルタを保護するフィルタカバーとを備えたプロジェクタであって、
前記吸気孔の周縁部分には、
前記外装筐体内部の制御装置に電気的に接続し前記制御装置との間で情報を入出力する入出力装置が着脱自在に装填される装填部が設けられ、
前記フィルタカバーは、
前記吸気孔および前記装填部を覆い、前記エアフィルタおよび前記入出力装置の双方を保護する
ことを特徴とするプロジェクタ。
【請求項２】
請求項１に記載のプロジェクタにおいて、
前記吸気孔は、
前記外装筐体における鉛直方向に沿う側壁部に形成され、
前記装填部は、
前記吸気孔に対して前記外装筐体における前記側壁部に交差する天面部側に設けられ、
前記フィルタカバーは、
前記側壁部および前記天面部に跨るように構成されている
ことを特徴とするプロジェクタ。
【発明の詳細な説明】
【技術分野】
【０００１】
本発明は、プロジェクタに関する。
【背景技術】
【０００２】
従来、プロジェクタにおいて、内部の冷却対象（光源装置や、液晶パネル等の光変調装置）を冷却するために、外装筐体に形成した吸気孔を介して外装筐体外部の空気を導入し、導入した空気を冷却対象に送風する構成が知られている（例えば、特許文献１参照）。
特許文献１に記載のプロジェクタでは、外装筐体の底面に吸気孔を形成している。また、空気とともに塵埃が導入することを防止するために、吸気孔の周縁部分に凹部を設け、空気に含まれる塵埃を捕捉するエアフィルタを凹部に収納している。さらに、エアフィルタの保護、および交換を可能とするために、凹部の開口面に係止により着脱自在とする交換蓋を取り付けている。
【０００３】
【特許文献１】特開２００４−１０９７８１号公報
【発明の開示】
【発明が解決しようとする課題】
【０００４】
ところで、近年では、無線ＬＡＮ(Local Area Network)カード等を装填可能とし、ネットワークを介して、外部のＰＣ等にて遠隔操作可能とするプロジェクタも提案されている。
このようなプロジェクタにおいて、使用時等における無線ＬＡＮカードや当該プロジェクタの故障を防止するためには、上述した交換蓋と同様の蓋体にて無線ＬＡＮカードを覆って保護する必要がある。
しかしながら、上述した交換蓋の他、無線ＬＡＮカードを保護する蓋体をも設けた場合には、部材点数が増加する、という問題がある。
また、上記の場合には、外装を構成する各部材（外装筐体、交換蓋、および無線ＬＡＮカードを保護する蓋体）の境界部分が多くなるため、プロジェクタの外観上も好ましくない。
【０００５】
本発明の目的は、部材点数を低減できるとともに、外観の好ましいプロジェクタを提供することにある。
【課題を解決するための手段】
【０００６】
本発明のプロジェクタは、吸気孔が形成された外装筐体と、前記吸気孔を介して導入された空気に含まれる塵埃を捕捉するエアフィルタと、前記外装筐体に取り付けられ前記エアフィルタを保護するフィルタカバーとを備えたプロジェクタであって、前記吸気孔の周縁部分には、前記外装筐体内部の制御装置に電気的に接続し前記制御装置との間で情報を入出力する入出力装置が着脱自在に装填される装填部が設けられ、前記フィルタカバーは、前記吸気孔および前記装填部を覆い、前記エアフィルタおよび前記入出力装置の双方を保護することを特徴とする。
ここで、入出力装置としては、装填部に装填することで制御装置に電気的に接続し、制御装置との間で情報を入出力する装置であれば、いずれの装置でもよく、例えば、上述した無線ＬＡＮカードや、メモリカード等が例示できる。
また、フィルタカバーとしては、従来と同様に、外装筐体に対して着脱することで、エアフィルタを交換する構成としてもよく、あるいは、外装筐体に回動自在に軸支され、回動させることでエアフィルタを交換する構成としてもよい。
【０００７】
本発明では、吸気孔の周縁部分に装填部が設けられ、フィルタカバーは、吸気孔および装填部を覆い、エアフィルタおよび入出力装置の双方を保護する。このことにより、エアフィルタ用のカバーと入出力装置用のカバーとを１つのフィルタカバーで共通化でき、部材点数を低減できる。このため、プロジェクタの低コスト化が図れる。
また、エアフィルタ用のカバーと入出力装置用のカバーとを１つのフィルタカバーで構成することで、外装を構成する各部材（外装筐体およびフィルタカバー）の境界部分も少なくすることができ、プロジェクタの外観も良好なものとすることができる。
【０００８】
本発明のプロジェクタでは、前記吸気孔は、前記外装筐体における鉛直方向に沿う側壁部に形成され、前記装填部は、前記吸気孔に対して前記外装筐体における前記側壁部に交差する天面部側に設けられ、前記フィルタカバーは、前記側壁部および前記天面部に跨るように構成されていることが好ましい。
本発明では、装填部は、吸気孔に対して天面部側に設けられている。このことにより、装填部は、プロジェクタが正置き姿勢（天面部が上方側に向く姿勢）および天吊り姿勢（天面部が下方側に向く姿勢）のいずれの姿勢で設置された場合であっても、設置面（机や天井等）から離間した側に位置付けられる。このため、例えば、無線ＬＡＮカード等の入出力装置を装填部に装填した場合には、プロジェクタが上記のいずれの姿勢で設置されても、入出力装置に外部のＰＣ等との間で情報を良好に送受信させることができる。
また、フィルタカバーが側壁部および天面部に跨るように構成されているので、上述した送受信を良好とする構成としながらも、エアフィルタおよび入出力装置の双方を確実に保護できる。
【発明を実施するための最良の形態】
【０００９】
以下、本発明の実施の一形態を図面に基づいて説明する。
〔プロジェクタの外観構成〕
図１は、プロジェクタ１を前面上方側から見た斜視図である。
図２は、プロジェクタ１の内部構造を模式的に示す図である。
なお、以下で記載する「上」、「下」、「左」、「右」は、図１における図面視において、上下左右に相当するものである。また、以下で記載する「前面」、「背面」は、プロジェクタ１において投射側（投射レンズ３７が配置された側）を前面とし、その反対側を背面とする。
プロジェクタ１は、光源から射出された光束を画像情報に応じて変調して画像光を形成し、形成した画像光をスクリーン（図示略）上に拡大投射するものである。このプロジェクタ１は、図１または図２に示すように、外装を構成する外装筐体２と、光学ユニット３（図２）と、冷却装置４（図２）とで大略構成されている。
【００１０】
外装筐体２は、図１または図２に示すように、略直方体形状を有し、光学ユニット３および冷却装置４を内部に収納する。
なお、具体的な図示は省略したが、外装筐体２は、光学ユニット３および冷却装置４の他、内部の各構成部材に電力を供給する電源装置や、内部の各構成部材の動作を制御するＣＰＵ(Central Processing Unit)等を有する制御装置ＣＬ（図３参照）等も収納するものである。
この外装筐体２は、図１に示すように、アッパーケース２Ａと、ロアーケース２Ｂとを備える。
また、外装筐体２には、図１に示すように、後述するエアフィルタ５や無線ＬＡＮユニットＬＵを保護するとともに、外装の一部を構成するフィルタカバー６が取り付けられている。
アッパーケース２Ａは、プロジェクタ１の天面、前面、左右両側面の一部、および背面の一部をそれぞれ構成する。
このアッパーケース２Ａにおいて、右側面部（側壁部）２１の前面側には、右側面部２１から天面部２２にかけて切り欠かれた平面視Ｕ字状の上側切欠部２３が形成されている。
【００１１】
図３は、外装筐体２の右前方側の角部分を拡大した図である。
なお、図３では、エアフィルタ５を交換可能とする交換位置にフィルタカバー６を回動させた状態を示している。
また、図３では、説明の便宜上、外装筐体２の右前方側の角部分の他、外装筐体２内部に配設される制御装置ＣＬも模式的に図示している。
図４は、図３の状態において、外装筐体２、フィルタカバー６、および無線ＬＡＮユニットＬＵを分解した分解斜視図である。
上側切欠部２３の縁部分は、図３または図４に示すように、外装筐体２内部に向けて段落ち形成され、フィルタカバー６が後述する保護位置に位置付けられた際にフィルタカバー６を構成する後述するカバー本体６１の裏面に当接する設置受け部２３１が形成されている。
また、上側切欠部２３における上方側（天面部２２側）には、設置受け部２３１から下方側に段落ち形成され、天面部２２に略平行して延びる係合用凹部２４が形成されている。
【００１２】
この係合用凹部２４は、フィルタカバー６が保護位置に位置付けられた際に、フィルタカバー６に取り付けられた後述する操作レバー７に係合する部分である。
なお、図３および図４では、説明の便宜上、操作レバー７を省略して図示している。この操作レバー７の詳細な構成については、後述する。
具体的に、係合用凹部２４の上面において、前面側および背面側には、図３または図４に示すように、操作レバー７に係合する第１の係合受け部２４１がそれぞれ形成されている。
各第１の係合受け部２４１は、略同一の形状を有し、右側に延出するとともに、先端部分が背面側に向けて（フィルタカバー６の回動方向に交差する方向に）延出する平面視略Ｌ字形状を有している。
また、第１の係合受け部２４１において、背面側に向けて延出する部位の先端部分には、右側に向けて突出し、フィルタカバー６が保護位置に向けて回動する際に操作レバー７の後述する傾斜面７３１に当接する当接部２４１１が形成されている。
【００１３】
また、係合用凹部２４は、操作レバー７に係合する機能の他、入出力装置としての無線ＬＡＮユニットＬＵを支持する機能も有する。
具体的に、係合用凹部２４において、前後方向の略中央部分には、図３または図４に示すように、装填部としてのスロット２４０が設けられている。
スロット２４０は、無線ＬＡＮユニットＬＵが挿入される挿入口である。このスロット２４０は、図４に示すように、無線ＬＡＮユニットＬＵの外形形状に対応し、係合用凹部２４における略中央部分から天面部２２に沿って左側に向けて外装筐体２内部まで延びるように形成されている。
そして、スロット２４０の底部分には、無線ＬＡＮユニットＬＵに接続する接続端子ＣＮ（図３）が設けられている。
【００１４】
ここで、無線ＬＡＮユニットＬＵは、ＬＡＮインターフェースで構成され、外部機器との間で情報を送受信する機能を有する。また、無線ＬＡＮユニットＬＵは、スロット２４０に挿入され接続端子ＣＮに接続することで、制御装置ＣＬと電気的に接続する。すなわち、無線ＬＡＮユニットＬＵは、スロット２４０に対して着脱自在に設けられている。
例えば、無線ＬＡＮユニットＬＵは、外部のＰＣ（図示略）等から制御指令を受信し、受信した制御指令をＬＡＮインターフェース規格に応じた情報に変換して制御装置ＣＬに出力する。また、無線ＬＡＮユニットＬＵは、制御装置ＣＬから出力された情報をＬＡＮインターフェース規格に応じた情報に変換して前記外部のＰＣ等に送信する。
【００１５】
ロアーケース２Ｂは、プロジェクタ１の底面、左右両側面の一部、および背面の一部をそれぞれ構成する。
このロアーケース２Ｂにおいて、右側面部２１の前面側には、図１、図３または図４に示すように、各ケース２Ａ，２Ｂを組み合わせた際に、上側切欠部２３に連続する下側切欠部２５が形成されている。
この下側切欠部２５の縁部分において、下方側（底面部２６側）には、フィルタカバー６を回動自在に軸支する軸受け部２７が設けられている。
軸受け部２７は、図３または図４に示すように、下側切欠部２５における下方側の縁部分において、前面側および背面側の双方に設けられ、フィルタカバー６の後述する軸支部６２を前後方向から挟持する。
【００１６】
そして、各ケース２Ａ，２Ｂを組み合わせた状態では、設置受け部２３１における右側面部２１側の端縁、係合用凹部２４の端縁、および下側切欠部２５の縁部分により、図３または図４に示すように、平面視略矩形状の吸気孔２８が形成される。
この吸気孔２８は、冷却装置４により外装筐体２外部の空気を内部に導入するための孔である。そして、この吸気孔２８には、図３または図４に示すように、吸気側ダクト２９が嵌め込まれている。
吸気側ダクト２９は、吸気孔２８と略同一の大きさを有する平面視矩形形状を有し、左右方向に延びる筒体で構成されている。そして、吸気側ダクト２９は、冷却装置４と接続し、吸気孔２８から導入された空気を冷却装置４に導く。
【００１７】
この吸気側ダクト２９は、エアフィルタ５（図３）を保持する機能も有する。
具体的に、吸気側ダクト２９において、内部には、図４に示すように、筒状軸に略直交して格子状に延びる複数のリブ２９１が形成されている。そして、複数のリブ２９１のうち、前後方向の略中央部分には、上下方向に並設され、エアフィルタ５を保持する一対の保持部２９２が形成されている。
【００１８】
各保持部２９２は、同一の形状を有し、右側に突出する保持爪２９２Ａ，２９２Ｂが上下方向に並設してそれぞれ構成されている。
各保持爪２９２Ａ，２９２Ｂは、互いに離間する方向に屈曲した平面視Ｌ字形状を有している。そして、各保持爪２９２Ａ，２９２Ｂは、その材料や形状により弾性を有し、基端部分を支点として上下方向に屈曲可能に構成されている。
【００１９】
また、吸気側ダクト２９は、無線ＬＡＮユニットＬＵの盗難を防止する機能も有する。
具体的に、吸気側ダクト２９において、上方側における前後方向の略中央部分には、図４に示すように、ネジＳｃ（図３）が取り付けられるネジ孔２９３が形成されている。
そして、図３に示すように、無線ＬＡＮユニットＬＵがスロット２４０に挿入された状態で、ネジ孔２９３にネジＳｃを螺合することで、無線ＬＡＮユニットＬＵをスロット２４０から取り外す際にネジＳｃのネジ頭が当接することとなる。すなわち、無線ＬＡＮユニットＬＵがスロット２４０から取り外されることを防止している。
【００２０】
図５は、エアフィルタ５の構成を示す図である。具体的に、図５（Ａ）はエアフィルタ５を表側（右側）から見た斜視図であり、図５（Ｂ）はエアフィルタ５を裏側（左側）から見た斜視図である。
エアフィルタ５は、吸気孔２８から導入される空気に含まれる塵埃を捕捉する。このエアフィルタ５は、図５に示すように、フィルタ本体５１と、フィルタ保持枠５２とを備える。
フィルタ本体５１は、２つで構成され（図５（Ａ））、空気を通過させながら該空気に混入した塵埃を捕捉する。
フィルタ保持枠５２は、略矩形枠形状を有し、枠内側にて２つのフィルタ本体５１を保持する。
【００２１】
このフィルタ保持枠５２において、裏側には、図５（Ｂ）に示すように、枠内側に向けて格子状に延びる複数のリブ５２１が形成されている。そして、２つのフィルタ本体５１は、フィルタ保持枠５２の表側から枠内側に挿入され複数のリブ５２１に当接されることで、フィルタ保持枠５２に保持される。
また、フィルタ保持枠５２において、複数のリブ５２１のうち、吸気側ダクト２９の一対の保持部２９２に対応する各位置には、一対の保持部２９２にそれぞれ係合する一対の係合孔５２２が形成されている。
さらに、フィルタ保持枠５２の表側には、図５（Ａ）に示すように、一対の係合孔５２２の間から突出し、利用者にエアフィルタ５を把持させるための把持部５２３が形成されている。
【００２２】
そして、利用者は、吸気側ダクト２９からエアフィルタ５を取り外す際には、図３に示す状態において、把持部５２３を把持し、吸気側ダクト２９に対して吸気孔２８の開口面に略直交する方向にエアフィルタ５を引き抜くことにより、一対の保持部２９２と一対の係合孔５２２との係合が解除される。
また、利用者は、吸気側ダクト２９にエアフィルタ５を取り付ける際には、図４に示す状態において、把持したエアフィルタ５における一対の係合孔５２２を一対の保持部２９２にあてがう。そして、吸気側ダクト２９に対して吸気孔２８の開口面に略直交する方向にエアフィルタ５を押し付けることにより、係合孔５２２における裏側の周縁部分に形成された斜面により保持爪２９２Ａ，２９２Ｂが互いに近接する方向に屈曲して係合孔５２２内部に挿通され、保持爪２９２Ａ，２９２Ｂの先端部分が係合孔５２２における表側の周縁部分に係止される（図３に示す状態）。
【００２３】
フィルタカバー６は、図１に示すように、上側切欠部２３および下側切欠部２５に対応し、右側面部２１および天面部２２に跨る側面視略Ｌ字形状を有する。そして、フィルタカバー６は、上述した軸受け部２７に対して、エアフィルタ５および無線ＬＡＮユニットＬＵを保護するための保護位置（図１）と、エアフィルタ５を交換、あるいは無線ＬＡＮユニットＬＵを取り外すための交換位置（図３）とに回動自在に軸支される。
なお、フィルタカバー６の詳細な構成については、後述する。
【００２４】
〔光学ユニットの構成〕
光学ユニット３は、制御装置（図示略）により制御の下、画像情報に応じて画像光を形成するものであり、外装筐体２の背面に沿って左側から右側に延出し、さらに前面側に屈曲して延出する平面視略Ｌ字形状を有している。
この光学ユニット３は、図２に示すように、光源ランプ３１１およびリフレクタ３１２を有する光源装置３１と、レンズアレイ３２１，３２２、偏光変換素子３２３、および重畳レンズ３２４を有する照明光学装置３２と、ダイクロイックミラー３３１，３３２、および反射ミラー３３３を有する色分離光学装置３３と、入射側レンズ３４１、リレーレンズ３４３、および反射ミラー３４２，３４４を有するリレー光学装置３４と、光変調装置としての３つの液晶パネル３５１（赤色光側の液晶パネルを３５１Ｒ、緑色光側の液晶パネルを３５１Ｇ、青色光側の液晶パネルを３５１Ｂとする）、３つの入射側偏光板３５２、３つの射出側偏光板３５３、および色合成光学装置としてのクロスダイクロイックプリズム３５４を有する光学装置３５と、光学部品用筐体３６と、投射光学装置としての投射レンズ３７とを有する。
そして、光学ユニット３では、上述した構成により、光源装置３１から射出され照明光学装置３２を介した光束は、色分離光学装置３３にてＲ，Ｇ，Ｂの３つの色光に分離される。また、分離された各色光は、各液晶パネル３５１にて画像情報に応じてそれぞれ変調され、色光毎の画像光が形成される。色光毎の画像光は、クロスダイクロイックプリズム３５４にて合成され、投射レンズ３７にてスクリーン（図示略）に拡大投射される。
なお、上述した各部材３１〜３７については、種々の一般的なプロジェクタの光学系として利用されているため、具体的な説明を省略する。
【００２５】
〔冷却装置の構成〕
冷却装置４は、図２に示すように、投射レンズ３７に近接して配設された冷却ファン４１を有し、吸気孔２８から吸気側ダクト２９を介して導入した空気を冷却対象（例えば、光学装置３５や偏光変換素子３２３等）に送風して冷却する。
【００２６】
〔フィルタカバーの構成〕
図６および図７は、フィルタカバー６の構成を示す図である。具体的に、図６はフィルタカバー６を表側から見た斜視図であり、図７はフィルタカバー６を裏側から見た斜視図である。また、図６（Ａ）、図７（Ａ）は操作レバー７が後述する係合位置に位置付けられた状態を示し、図６（Ｂ）、図７（Ｂ）は操作レバー７が後述する非係合位置に位置付けられた状態を示している。
フィルタカバー６は、図６または図７に示すように、カバー本体６１と、軸支部６２とを備える。
カバー本体６１は、右側面部２１および天面部２２に跨る側面視略Ｌ字形状を有し、エアフィルタ５を保護する。
このカバー本体６１において、右側面部２１には、図６または図７に示すように、吸気孔２８に対応した位置に第１開口部６１１が形成されている。
また、カバー本体６１において、第１開口部６１１の上方側で背面側には、図６に示すように、操作レバー７の一部を外部に露出するための第２開口部６１２が形成されている。
さらに、カバー本体６１には、図７に示すように、裏面の第１開口部６１１の上方側から突出し、後述するコイルバネ７５の一端に当接してコイルバネ７５の移動を規制するバネ規制部６１３が形成されている。
軸支部６２は、図６または図７に示すように、カバー本体６１における下方側の端縁において、前面側および背面側の双方に設けられ、各軸受け部２７に対して軸支される。
各軸支部６２は、前後方向に沿って互いに離間する方向に突出する円柱形状を有し、各軸受け部２７に形成された各円孔（図示略）に挿通することで、各軸受け部２７に回動自在に軸支される。
【００２７】
〔操作レバーの構成〕
図８は、操作レバー７の構成を示す図である。具体的に、図８（Ａ）は操作レバー７を表側から見た斜視図であり、図８（Ｂ）は操作レバー７を裏側から見た斜視図である。
操作レバー７は、図７に示すように、カバー本体６１の裏面に取り付けられ、利用者により外部から操作されることで、各第１の係合受け部２４１に係合する係合位置（図７（Ａ））、各第１の係合受け部２４１との係合が解除された非係合位置（図７（Ｂ））に移動する。
なお、操作レバー７の動作については、後述する。
この操作レバー７は、図７または図８に示すように、レバー本体７１と、操作部７２と、第１の係合突起部７３と、第２の係合突起部７４とが一体化されたものである。
【００２８】
レバー本体７１は、前後方向に延びる板体形状を有し、カバー本体６１における右側面部２１および天面部２２の角部分の裏面に倣う側面視略Ｌ字形状を有する。
このレバー本体７１において、前面側および背面側には、操作レバー７をカバー本体６１に取り付けるための取付用孔７１１がそれぞれ形成されている。
これら取付用孔７１１は、前後方向に延びるトラック孔として構成されている。このため、操作レバー７は、図７に示すように、各取付用孔７１１を介して各ネジＳｃにてカバー本体６１に取り付けられた状態で、前後方向に移動可能となる。
【００２９】
また、レバー本体７１において、各取付用孔７１１の間には、図７または図８に示すように、収納用凹部７１２が形成されている。
収納用凹部７１２は、前後方向に延びるように形成され、付勢部材としてのコイルバネ７５を収納するための凹部である。
そして、収納用凹部７１２にコイルバネ７５を収納し、操作レバー７をカバー本体６１に取り付けた状態では、コイルバネ７５の一端がバネ規制部６１３に当接し、他端が収納用凹部７１２における前面側の側壁に当接する。すなわち、上記の状態において、コイルバネ７５は、操作レバー７を前面側（係合位置）に付勢する。
【００３０】
操作部７２は、利用者により外部から操作される部分である。この操作部７２は、図７または図８に示すように、レバー本体７１の背面側において、下方側の端縁から下方側に向けて延出する平面視矩形形状を有する。
この操作部７２において、右側の端面には、図６または図８（Ａ）に示すように、右側に向けて膨出し、操作レバー７をフィルタカバー６に取り付けた状態で第２開口部６１２から露出する摘み部７２１が設けられている。
この摘み部７２１は、フィルタカバー６の表側から利用者が操作する部分である。
【００３１】
第１の係合突起部７３は、第１の係合受け部２４１に係合する部分である。この第１の係合突起部７３は、図８に示すように、レバー本体７１における上方側の端縁において、前面側および背面側の双方にそれぞれ設けられている。
各第１の係合突起部７３は、略同一の形状を有し、左側に向けて（フィルタカバー６の回動方向に沿って）突出するとともに、先端部分が前面側に向けて（フィルタカバー６の回動方向に交差して）突出した平面視略Ｌ字形状を有する。
これら第１の係合突起部７３において、先端部分には、図７または図８（Ｂ）に示すように、外装筐体２に対向する位置に、前面側から背面側に向う（係合位置側から非係合位置側に向う）にしたがって、外装筐体２に近接する方向（左側）に傾斜した傾斜面７３１がそれぞれ形成されている。
【００３２】
第２の係合突起部７４は、レバー本体７１の前面側の端縁から段落ち形成され、前面側に突出する。
ここで、設置受け部２３１における前面側の部位の端縁には、図３に示すように、天面部２２から右側面部２１にかけて（フィルタカバー６の回動方向に沿って）延び、第２の係合突起部７４の外形形状に対応した凹状の第２の係合受け部２３２が形成されている。
そして、第２の係合突起部７４は、操作レバー７が係合位置に位置付けられた状態で、第２の係合受け部２３２内部に挿通され、外面が第２の係合受け部２３２の内面に当接する。
【００３３】
〔操作レバーの動作〕
次に、上述した操作レバー７の動作について説明する。
先ず、フィルタカバー６が保護位置に位置付けられている状態（図１）では、上述したようにコイルバネ７５の付勢力により、操作レバー７が係合位置に位置付けられている（図７（Ａ））。
上記の状態では、各第１の係合突起部７３の先端部分が各第１の係合受け部２４１におけるＬ字内側に配設され、すなわち、各第１の係合突起部７３と各第１の係合受け部２４１とが係合した状態となる。
また、上記の状態では、第２の係合突起部７４が第２の係合受け部２３２内部に挿通され、すなわち、第２の係合突起部７４と第２の係合受け部２３２とが係合した状態となる。
そして、第１の係合突起部７３と第１の係合受け部２４１との係合により、フィルタカバー６の交換位置への回動が規制される。
また、第２の係合突起部７４と第２の係合受け部２３２との係合により、フィルタカバー６の上方側（フィルタカバー６の回動方向に交差する方向）への移動も規制される。
【００３４】
上記の状態において、利用者は、エアフィルタ５を交換、あるいは無線ＬＡＮユニットＬＵを取り外すために、フィルタカバー６を交換位置に回動させる際には、摘み部７２１を背面側に移動させる（図６（Ｂ））。
この状態では、コイルバネ７５の付勢力に抗して操作レバー７が背面側に移動し、操作レバー７が非係合位置に位置付けられる（図７（Ｂ））。
上記の状態では、各第１の係合突起部７３の先端部分は、各第１の係合受け部２４１におけるＬ字内側から背面側に移動し、すなわち、各第１の係合受け部２４１との係合が解除された状態となる。
また、上記の状態では、第２の係合突起部７４は、第２の係合受け部２３２内部から引き出され、すなわち、第２の係合受け部２３２との係合も解除された状態となる。
すなわち、利用者は、上記の状態において、フィルタカバー６の上方側を手で押えながら右側に力を加えることで、フィルタカバー６を回動させることができ、フィルタカバー６を交換位置に位置付けることができる（図３）。
【００３５】
一方、利用者は、フィルタカバー６を交換位置から保護位置に位置付ける際には、摘み部７２１を操作することなく、フィルタカバー６の上方側を手で押えながらフィルタカバー６を保護位置に向けて回動させ、さらに、フィルタカバー６を外装筐体２に押し付ける。
具体的に、利用者が摘み部７２１を操作していない状態、すなわち、摘み部７２１を背面側に移動させていない状態（図６（Ａ））では、上述したように、コイルバネ７５の付勢力により操作レバー７が係合位置に位置付けられている（図７（Ａ））
この状態において、フィルタカバー６を保護位置に向けて回動させると、各第１の係合突起部７３の傾斜面７３１が各第１の係合受け部２４１における当接部２４１１に当接する。傾斜面７３１に当接部２４１１が当接した状態で、フィルタカバー６を外装筐体２に押し付けると、コイルバネ７５の付勢力に抗して当接部２４１１上を傾斜面７３１が摺動しつつ操作レバー７が背面側に移動する。そして、操作レバー７が非係合位置に位置付けられた際に、各第１の係合突起部７３が各当接部２４１１を乗り越え、コイルバネ７５の付勢力により、再度、操作レバー７が前面側に移動して係合位置に位置付けられる。
【００３６】
上述した本実施形態においては、以下の効果がある。
本実施形態では、吸気孔２８の周縁部分にスロット２４０が設けられ、フィルタカバー６は、吸気孔２８およびスロット２４０を覆い、エアフィルタ５および無線ＬＡＮユニットＬＵの双方を保護する。このことにより、エアフィルタ５用のカバーと無線ＬＡＮユニットＬＵ用のカバーとを１つのフィルタカバー６で共通化でき、部材点数を低減できる。このため、プロジェクタ１の低コスト化が図れる。
また、エアフィルタ５用のカバーと無線ＬＡＮユニットＬＵ用のカバーとを１つのフィルタカバー６で構成することで、外装を構成する各部材（外装筐体２およびフィルタカバー６）の境界部分（切欠部２３，２５等）も少なくすることができ、プロジェクタ１の外観も良好なものとすることができる。
【００３７】
さらに、スロット２４０は、吸気孔２８に対して天面部２２側に設けられている。このことにより、スロット２４０は、プロジェクタ１が正置き姿勢（天面部２２が上方側に向く姿勢）および天吊り姿勢（天面部２２が下方側に向く姿勢）のいずれの姿勢で設置された場合であっても、設置面（机や天井等）から離間した側に位置付けられる。このため、プロジェクタ１が上記のいずれの姿勢で設置されても、無線ＬＡＮユニットＬＵに外部のＰＣ等との間で情報を良好に送受信させることができる。
また、フィルタカバー６が右側面部２１および天面部２２に跨るように構成されているので、上述した送受信を良好とする構成としながらも、エアフィルタ５および無線ＬＡＮユニットＬＵの双方を確実に保護できる。
【００３８】
なお、本発明が前述の実施形態に限定されるものではなく、本発明の目的を達成できる範囲での変形、改良等は本発明に含まれるものである。
前記実施形態では、本発明に係る入出力装置として、無線ＬＡＮユニットＬＵを採用していたが、これに限らず、外装筐体２に取り付けられることで制御装置ＣＬに電気的に接続し、制御装置ＣＬとの間で情報を入出力する装置であれば、いずれの装置でもよく、例えば、メモリカード等が例示できる。
前記実施形態では、フィルタカバー６は、外装筐体２に対して保護位置および回転位置に回動自在に軸支されていたが、これに限らず、例えば、従来と同様に、外装筐体２に対して着脱自在とする構成としてもよい。
【００３９】
前記実施形態では、操作レバー７がフィルタカバー６に取り付けられ、第１の係合受け部２４１が外装筐体２に設けられていたが、これに限らず、操作レバー７が外装筐体２に取り付けられ、第１の係合受け部２４１がフィルタカバー６に設けられていても構わない。コイルバネ７５、軸支部６２、軸受け部２７、第２の係合突起部７４、および第２の係合受け部２３２も同様である。
【００４０】
前記実施形態では、フィルタカバー６は、右側面部２１および天面部２２に跨るように構成されていたが、これに限らず、例えば、外装筐体２におけるいずれかの側壁部のみに取付けられてもよく、あるいは、天面部２２と左側面部、前面部、あるいは背面部とに跨るように構成しても構わない。
前記実施形態では、エアフィルタ５が外装筐体２（吸気側ダクト２９）に取り付けられていたが、これに限らず、エアフィルタ５をフィルタカバー６の裏面に取り付けても構わない。
【００４１】
前記各実施形態では、スクリーンを観察する方向から投射を行うフロントタイプのプロジェクタの例のみを挙げたが、本発明は、スクリーンを観察する方向とは反対側から投射を行うリアタイプのプロジェクタにも適用可能である。
前記各実施形態では、光入射面と光射出面とが異なる透過型の液晶パネルを用いていたが、光入射面と光射出面とが同一となる反射型の液晶パネルを用いてもよい。
前記各実施形態では、光変調装置として液晶パネルを用いていたが、マイクロミラーを用いたデバイス等、液晶以外の光変調装置を用いてもよい。
【産業上の利用可能性】
【００４２】
本発明のプロジェクタは、エアフィルタの交換時の操作性を向上できるため、プレゼンテーションやホームシアタに用いられるプロジェクタとして利用できる。
【図面の簡単な説明】
【００４３】
【図１】本実施形態におけるプロジェクタを前面上方側から見た斜視図。
【図２】前記実施形態におけるプロジェクタの内部構造を模式的に示す図。
【図３】前記実施形態における外装筐体の右前方側の角部分を拡大した斜視図。
【図４】図３の状態において、外装筐体、フィルタカバー、および無線ＬＡＮユニットを分解した分解斜視図。
【図５】前記実施形態におけるエアフィルタの構成を示す図。
【図６】前記実施形態におけるフィルタカバーの構成を示す図。
【図７】前記実施形態におけるフィルタカバーの構成を示す図。
【図８】前記実施形態における操作レバーの構成を示す図。
【符号の説明】
【００４４】
１・・・プロジェクタ、２・・・外装筐体、５・・・エアフィルタ、６・・・フィルタカバー、２１・・・右側面部（側壁部）、２２・・・天面部、２８・・・吸気孔、２４０・・・スロット（装填部）、ＣＬ・・・制御装置、ＬＵ・・・無線ＬＡＮユニット（入出力装置）。
【図１】
2010122281.tif 000003
【図２】
2010122281.tif 000004
【図３】
2010122281.tif 000005
【図４】
2010122281.tif 000006
【図５】
2010122281.tif 000007
【図６】
2010122281.tif 000008
【図７】
2010122281.tif 000009
【図８】
2010122281.tif 000010